(57)【要約】【課題】受信データの処理に、互いに同期関係にあって周波数が異なる複数のクロックを用いるデータ受信装置に対し、データ送信装置がデータとクロックを送信する場合において、伝送路での不要輻射を抑制する。【解決手段】データ送信装置側において、上記送信データと共に上記複数のクロックのうちの１つのクロックのみを送信する。そして、データ受信装置側では、上記送信データと上記１つのクロックとを受信すると共に、上記１つのクロックを逓倍して周波数の異なる他の１以上のクロックを生成して、必要なクロックを得るようにする。このとき、上記データ送信装置側から、例えば上記複数のクロックのうちの周波数の最も低いクロックのみを送信するようにすれば、伝送路における不要輻射を最低限に抑制することができる。【選択図】        図２
2005012406.tif 000002
【特許請求の範囲】
【請求項１】
データ送信装置とデータ受信装置とからなるデータ伝送システムにおいて、
上記データ送信装置は、
互いに同期関係にあって周波数が異なる複数のクロックを用いてデータの処理を行うデータ処理手段と、
受信データの処理に上記複数のクロックを用いる上記データ受信装置に対して、上記データと共に、上記複数のクロックのうちの１つのクロックのみを送信する送信手段とを備え、
上記データ受信装置は、
上記データ送信装置から送信される上記データと上記１つのクロックとを受信可能に構成された受信手段と、
上記受信手段により受信された上記１つのクロックから異なる周波数による他の１以上のクロックを生成するクロック生成手段とを備える、
ことを特徴とするデータ伝送システム。
【請求項２】
互いに同期関係にあって周波数が異なる複数のクロックを用いてデータの処理を行うデータ処理手段と、
受信データの処理に上記複数のクロックを用いる外部装置に対して、上記データと共に、上記複数のクロックのうちの１つのクロックのみを送信する送信手段と、
を備えることを特徴とするデータ送信装置。
【請求項３】
上記送信手段は、
上記複数のクロックのうち、周波数が最も低いクロックを送信するように構成されていることを特徴とする請求項２に記載のデータ送信装置。
【請求項４】
上記送信手段は、
上記周波数の最も低いクロックの分周出力を送信するように構成されていることを特徴とする請求項３に記載のデータ送信装置。
【請求項５】
上記送信手段は、
上記周波数の最も低いクロックを、フィルタ処理を施して送信するように構成されていることを特徴とする請求項３に記載のデータ送信装置。
【請求項６】
上記送信手段は、
上記送信データ及び／又は上記クロックを、それぞれ正相及び逆相の２系統により送信するように構成されていることを特徴とする請求項２に記載のデータ送信装置。
【請求項７】
互いに同期関係にあって周波数が異なる複数のクロックを用いて受信データの処理を行うデータ受信装置として、
外部装置から送信されるデータと１つのクロックとを受信可能に構成された受信手段と、
上記受信手段により受信された上記１つのクロックに基づいて、このクロックとは周波数の異なる他の１以上のクロックを生成するクロック生成手段と、
を備えることを特徴とするデータ受信装置。
【請求項８】
上記受信手段は、
上記外部装置から入力されるフィルタ処理の施された上記１つのクロックに対する波形成形を行って上記１つのクロックを得るように構成されている、
ことを特徴とする請求項７に記載のデータ受信装置。
【請求項９】
上記受信手段は、
上記外部装置よりそれぞれ正相及び逆相の２系統により送信される上記データ及び／又は上記クロックから、各１系統の上記データ及び／又は上記クロックを得るように構成されている、
ことを特徴とする請求項７に記載のデータ受信装置。
【請求項１０】
データの処理に、互いに同期関係にあって周波数が異なる複数のクロックを用いると共に、上記複数のクロックを受信データの処理に用いる外部装置に対して、上記データと、上記複数のクロックのうちの１つのクロックのみを送信することを特徴とするデータ送信方法。
【請求項１１】
互いに同期関係にあって周波数が異なる複数のクロックを用いて受信データの処理を行う場合において、外部装置からの送信データと１つのクロックとを受信すると共に、上記クロックから周波数の異なる他の１以上のクロックを生成することを特徴とするデータ受信方法。
【発明の詳細な説明】
【０００１】
【発明の属する技術分野】
本発明は、外部装置に対するデータ送信を行うデータ送信装置、及び外部装置から送信されるデータについての受信を行うデータ受信装置に関する。さらには、これらデータ送信装置とデータ受信装置とにより構成されるデータ伝送システムに関するものである。
【０００２】
【従来の技術】
ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等のメディアから再生されたＡＶ（Ａｕｄｉｏ  Ｖｉｓｕａｌ）データを音声・表示出力するＡＶシステムにおいて、特にオーディオデータに関して、近年ではメディアからの再生データをデジタルデータのまま外部の音声出力装置に伝送するということが行われている。
例えば近年では、入力されるデジタルオーディオデータに基づいて音声出力装置を駆動できるデジタルアンプが提案されているが、このようなデジタルアンプをＡＶシステムに組み込むことで、ＣＤ・ＤＶＤプレイヤ側から再生データをデジタルデータのまま伝送して音声出力を行わせることができる。
【０００３】
ところで、このように外部のデジタルアンプに対してデジタルオーディオデータを伝送する場合、デジタルアンプに対しては、オーディオデータと共に、プレイヤ側との同期をとるための各種クロックを送信するようにされる。
例えば、ＣＤやＤＶＤのプレイヤからデジタルアンプに対しては、ＬＲクロック、ビットクロック、システムクロックを送信するようにされている。
上記ＬＲクロックは、Ｌチャンネル（ｃｈ）オーディオデータ／Ｒｃｈオーディオデータの同期をとる際に必要となる。また、上記ビットクロックは、オーディオデータのチャネルクロックである。また、上記システムクロックは、デジタルアンプ側の処理をプレイヤ側と同期させるために必要となる。
そして、これらのクロックとして、上記ＬＲクロックは、その周波数が、オーディオデータのサンプリング周波数ｆｓと同等とされている。つまり、再生メディアがＣＤの場合はｆｓ＝４４．１ｋＨｚとなり、ＤＶＤの場合はｆｓ＝４８ｋＨｚとなる。
また、ビットクロックとしては１２８ｆｓであり、ＣＤの場合で５６４４．８ｋＨｚ、ＤＶＤの場合で６１４４ｋＨｚとなる。
さらに、上記システムクロックは２５６ｆｓであり、ＣＤの場合で１１２８９．６ｋＨｚ、ＤＶＤの場合も１２２８８ｋＨｚとなり、ＣＤ、ＤＶＤの場合で共にＭＨｚ帯の非常に高周波なクロックとなる。
【０００４】
ここで、上記のようなＡＶシステムとして、近年においては、システムを構成する機器を分散して配置させることを想定したものがある。つまり、例えばメディアの出し入れ等、ユーザによる直接的な操作が必要となるプレイヤのみを視覚的に表出した部分に配置するようにし、他の直接的な操作が不要な例えばアンプ装置等を視覚的に表出しない部分に配置することで、システムのスタイリッシュ化、省スペース化を図るようにしたものである。
そしてこのようなＡＶシステムにおいて、配置の自由度を考えると、装置間の配線を長めにとる必要があり、例えば装置間の配線を５ｍ程度に設定しているものもある。
【０００５】
しかしながら、このように装置間の配線が比較的長くなることによっては、その分、伝送路における不要輻射が増大することになる。そしてこのとき、これらの装置間において、例えば上記したようなシステムクロックとしての数ＭＨｚ帯のクロックを伝送することによっては、さらに不要輻射は増大してしまうこととなる。
【０００６】
なお、以下の特許文献では、伝送路における不要輻射を抑制する目的で、クロックの周波数を低くして送信し、これを受信装置側で逓倍することでクロックを元の周波数に復元する技術が記載されている。
【特許文献１】
特開平０８−１０６０７５号公報
【特許文献２】
特開平０８−１８１９５６号公報
【特許文献３】
特開２０００−３５６３号公報
【特許文献４】
特開平０６−７５６５５号公報
【０００７】
【発明が解決しようとする課題】
このようにして、デジタルＡＶシステムにおいては、プレイヤ装置側から音声・表示出力装置側に対してデータを送信する際に、比較的高周波なクロックを送信する必要があることや、このとき設定される装置間の配線の長さに起因して、伝送路における不要輻射が増大する傾向にあった。
そして、このように不要輻射が増大することによっては、輻射対策部品を比較的多く備えなくてはならず、製造コスト的に不利となっていた。
【０００８】
また、このような不要輻射を抑制するという点では、上記特許文献に記載の技術を適用することは有効であると考えられるが、例えば上記で例示したように、複数のクロックを伝送する場合には、それぞれの系についてクロックを分周、逓倍する構成が必要となり、伝送系の構成が比較的に複雑となることが予想される。
【０００９】
【課題を解決するための手段】
そこで、本発明では以上のような問題点に鑑み、データ伝送システムとして以下のように構成することとした。
すなわち、データ送信装置とデータ受信装置とからなるデータ伝送システムにおいて、
上記データ送信装置には、
互いに同期関係にあって周波数が異なる複数のクロックを用いてデータの処理を行うデータ処理手段と、受信データの処理に上記複数のクロックを用いる上記データ受信装置に対して、上記データと共に、上記複数のクロックのうちの１つのクロックのみを送信する送信手段とを備えるようにする。
そして、上記データ受信装置としては、上記データ送信装置から送信される上記データと上記１つのクロックとを受信可能に構成された受信手段と、上記受信手段により受信された上記１つのクロックから異なる周波数による他の１以上のクロックを生成するクロック生成手段とを備えるようにした。
【００１０】
また、本発明では、データ送信装置として以下のように構成することとした。
つまり、互いに同期関係にあって周波数が異なる複数のクロックを用いてデータの処理を行うデータ処理手段と、受信データの処理に上記複数のクロックを用いる外部装置に対して、上記データと共に、上記複数のクロックのうちの１つのクロックのみを送信する送信手段とを備えるようにした。
【００１１】
また、本発明では、データ受信装置として以下のように構成することにした。
つまり、互いに同期関係にあって周波数が異なる複数のクロックを用いて受信データの処理を行うデータ受信装置として、先ず外部装置から送信されるデータと１つのクロックとを受信可能に構成された受信手段を備える。
その上で、上記受信手段により受信された上記１つのクロックに基づいて、このクロックとは周波数の異なる他の１以上のクロックを生成するクロック生成手段を備えるようにした。
【００１２】
さらに、本発明では、データ送信方法として以下のようにすることとした。
すなわち、データの処理に、互いに同期関係にあって周波数が異なる複数のクロックを用いると共に、上記複数のクロックを受信データの処理に用いる外部装置に対して、上記データと共に、上記複数のクロックのうちの１つのクロックのみを送信することとした。
【００１３】
また、本発明では、データ受信方法として以下のようにすることとした。
つまり、互いに同期関係にあって周波数が異なる複数のクロックを用いて受信データの処理を行う場合において、外部装置からの送信データと１つのクロックとを受信すると共に、上記クロックから周波数の異なる他の１以上のクロックを生成することとした。
【００１４】
上記本発明によれば、データ送信装置側は、このデータ送信装置側におけるデータ処理に用いられる上記複数のクロックを受信データの処理に用いるデータ受信装置側に対し、送信データと共に１つのクロックのみを送信するようにされる。そして、上記複数のクロックは互いに同期関係にあることから、データ受信装置側においては、このクロックから周波数の異なる他のクロックを生成することで、データの処理に必要なクロックを得ることができる。
そしてこのとき、例えばデータ送信装置側が上記複数のクロックのうちの周波数の最も低いクロックのみを送信するようにすれば、データ受信装置側との間の伝送路において生じる不要輻射を最低限に抑制することができる。
またこの場合、データ送信装置側とデータ受信装置側との間ではクロックを１つしか伝送しないので、データ伝送のための構成が簡易で済む。
【００１５】
【発明の実施の形態】
以下、本発明の実施の形態について説明する。
図１は、実施の形態としてのデータ伝送システム０の概要を示すブロック図である。
この図１では、本発明のデータ伝送システムが、図示するようにデータ送信装置としてのプレイヤ１と、データ受信装置としてのデジタルアンプ１０により構成される場合が示されている。
この場合、上記プレイヤ１としては、例えばＤＶＤ（Ｄｉｇｉｔａｌ  Ｖｅｒｓａｔｉｌｅ  Ｄｉｓｃ）に対応したデータ再生が可能なＤＶＤプレイヤとしての構成を有する。また、上記デジタルアンプ１０としては、電力増幅段をスイッチング制御する、いわゆるＤ級アンプとして構成され、プレイヤ１において再生されたオーディオデータに基づく出力音声が、図示するスピーカ１５において得られるように動作する。
【００１６】
また、上記プレイヤ１側においては、再生されたオーディオデータ等必要なデータを上記デジタルアンプ１０側に送信するための、図示するデータ送信回路２が備えられる。そして、デジタルアンプ１０側には、このようにプレイヤ１側から送信される送信データを受信するデータ受信回路１１が備えられる。
上記データ送信回路２は、プレイヤ１にて再生されたオーディオデータと共に、伝送時に必要なクロックをデジタルアンプ１０に対して送信する。なお、後述もするがこの場合のデータ送信回路２においては、デジタルアンプ１０側へ送信するクロックとして、送信されるオーディオデータのＬチャンネル（ｃｈ）データ／Ｒｃｈデータの同期をとるためのＬＲクロックＬＲＣＫのみを送信するようにされている。
そして、このようにデータ送信回路２より出力されたオーディオデータ、及びＬＲクロックＬＲＣＫは、上記データ受信回路１１において受信される。後述もするようにこのデータ受信回路１１では、このように受信されたＬＲクロックＬＲＣＫから、他の必要なクロックを生成するようにされている。
本実施の形態は、特にこれらデータ送信回路２とデータ受信回路１１との間のデータ伝送に関するものである。
【００１７】
図２は、図１に示したプレイヤ１の内部構成例を示すブロック図である。
なお、この図では、例えばＤＶＤとされた図示するディスク５０から読み出される、オーディオデータの伝送系についてのみ示している。
図２において、上記ディスク５０から読み出されたデータは、ＤＶＤデコーダ３に供給される。
このＤＶＤデコーダ３は、ＭＰＥＧシステムデコーダ、ＭＰＥＧビデオデコーダ、ＭＰＥＧオーディオデコーダ等を備えて、ディスク５０から読み出されたデータについてＤＶＤデコード処理を行う。そして、このようなデコード処理によって、デジタルビデオデータ、デジタルオーディオデータを得る。デジタルビデオデータに関しては、映像信号処理を行う図示されないビデオ信号処理部に供給され、最終的に外部の表示装置を介して映像出力される。
また、デジタルオーディオデータに関しては、この場合は、例えば図示するようにＩＥＣ６０９５８フォーマットとされてデジタルオーディオインタフェースレシーバ４に対して転送される。
【００１８】
デジタルオーディオインタフェースレシーバ４は、転送されたデジタルオーディオデータに基づき、上記したＬＲクロックＬＲＣＫ、及びチャネルクロックとしてのビットクロックＢＣＫを得る。
そして、これらＬＲクロックＬＲＣＫとビットクロックＢＣＫと共に、上記ＤＶＤデコーダ３より受信されたデジタルオーディオデータ（ＤＡＴＡ）を、図示するようにデータ送信回路２に対して供給する。
【００１９】
データ送信回路２において、デジタルオーディオインタフェースレシーバ４より供給されたデジタルオーディオデータ、ＬＲクロックＬＲＣＫ、ビットクロックＢＣＫは、図示するようにオーディオＤＳＰ（Ｄｉｇｉｔａｌ  Ｓｉｇｎａｌ  Ｐｒｏｃｅｓｓｏｒ）５に入力される。
オーディオＤＳＰ５は、例えば当該プレイヤ１の全体制御を行う図示されないシステムコントローラの指示に基づいて、各種オーディオ信号処理を行うものとされる。また、特にこの場合は、先に説明したデータ送信回路２を構成するものとされ、外部装置へのオーディオデータの送信に関する処理も行うものとされる。
このオーディオＤＳＰ５に対しては、当該プレイヤ１のマスタークロックとしての、システムクロックＳＣＬＫが動作クロックとして入力される。また、このシステムクロックＳＣＬＫは、図示するように先のＤＶＤデコーダ３、デジタルオーディオインターフェースレシーバ４の動作クロックとしても入力される。
【００２０】
この場合、オーディオＤＳＰ５は、ＤＶＤとしてのディスク５０より再生されたオーディオデータとして、５．１ｃｈオーディオデータに対応したオーディオ信号処理を行うものとされる。つまりこの場合、上記デジタルオーディオインターフェースレシーバ４から供給されたデジタルオーディオデータに基づいて、５．１ｃｈサラウンドシステムに対応した、Ｒ（右）、Ｌ（左）、Ｃ（センター）、Ｒｓ（後方右）、Ｌｓ（後方左）、ＬＥＦ（スーパーウーハー用低域エンハンス：Ｌｏｗ  Ｆｒｅｑｕｅｎｃｙ  Ｅｎｈａｎｃｅｍｅｎｔ）による６ｃｈのリニアＰＣＭデータを生成する。
そして、これら５．１ｃｈに対応した６ｃｈのデータについて、例えば上記Ｌｃｈ、Ｒｃｈのデータを図示するＤＡＴＡ１とし、またＬｓｃｈ、ＲｓｃｈのデータをＤＡＴＡ２として出力するものとされる。また、例えばＣｃｈ、ＬＥＦｃｈのデータをＤＡＴＡ３として出力する。
なお、もちろんこの場合のオーディオＤＳＰ５としては、通常の２ｃｈデジタルオーディオデータについての処理も可能とされる。
【００２１】
また、さらにオーディオＤＳＰ５は、これらＤＡＴＡ１〜ＤＡＴＡ３の３系統の送信データと共に、この場合は図示するようにＬＲクロックＬＲＣＫのみを出力するようにされる。
【００２２】
ここで、図１に示したデータ伝送システム０において、プレイヤ１からデジタルアンプ１０に対してデータ伝送を行う際は、上記のようにＬ／Ｒｃｈごとに分割されて送信されるデータが、デジタルアンプ１０側において適正に読み取られるためのＬＲクロックＬＲＣＫと共に、通常はデータのチャネルクロックとしてのビットクロックＢＣＫを送信するようにされる。
またこの際、デジタルアンプ１０側では、プレイヤ１からの再生オーディオデータを処理してこれに基づいたスピーカ駆動信号を生成するにあたり、プレイヤ１側と同期した処理を行う必要があることから、通常は、デジタルアンプ１０に対して、プレイヤ１におけるマスタークロックとしてのシステムクロックＳＣＬＫが送信される必要がある。
【００２３】
ところで、このように通常は伝送されるべきとされる、上記ＬＲクロックＬＲＣＫ、ビットクロックＢＣＫ、システムクロックＳＣＬＫについて、上記ＬＲクロックＬＲＣＫは、その周波数がＤＶＤフォーマットにおけるサンプリング周波数ｆｓとされる。つまり、この場合はｆｓ＝４８ｋＨｚとされる。
また、上記ビットクロックＢＣＫは、周波数が１２８ｆｓであり、この場合は１２８×４８＝６１４４ｋＨｚとなる。
さらに、上記システムクロックＳＣＬＫは２５６ｆｓであり、２５６×４８＝１２２８８ｋＨｚとなって、ＭＨｚ帯の非常に高周波なクロックとなる。
またこの際、これらのクロックはすべてサンプリング周波数ｆｓが基準周波数とされたクロックであり、相互に同期関係にあるものとされる。
【００２４】
また、図１に示したデータ伝送システム０のように、プレイヤ側で再生されたオーディオデータを外部のアンプ装置等に音声出力させるＡＶ（Ａｕｄｉｏ  Ｖｉｓｕａｌ）システムでは、近年、システムを構成する機器を分散して配置させるということが行われている。例えばプレイヤ１のような、メディアの出し入れの際等にユーザによって直接触れられる機会の多いプレイヤのみを視覚的に表出した部分に配置し、他の直接的な操作が不要な例えばデジタルアンプ１０を視覚的に表出しない部分に配置するといったことが行われているものである。
そしてこのようなＡＶシステムにおいては、装置間の配線を長めにとって配置の自由度を確保するために、例えば装置間の配線を５ｍ程度に設定しているものもある。
【００２５】
しかしながらこの際、装置間の配線が比較的長くなることによっては、その分不要輻射が増大することが問題となる。そしてこのとき、これらの装置間において、上記したようなシステムクロックＳＣＬＫのような高周波クロックを伝送することによっては、さらに不要輻射は増大してしまうこととなる。
【００２６】
そこで、本実施の形態では、オーディオＤＳＰ５において、上記のようにデータの送信先（この場合はデジタルアンプ１０）に対して送信すべきとされた、上記ＬＲクロックＬＲＣＫ、ビットクロックＢＣＫ、システムクロックＳＣＬＫの複数の同期関係にあるクロックのうち、所要の１のクロックのみを送信データと共に出力するものとしている。
そして、この場合は、これら複数のクロックのうち、周波数が最も低いＬＲクロックＬＲＣＫのみを出力するようにして、伝送路における不要輻射を最小限に抑制しようとするものである。
【００２７】
また、本実施の形態において、図２に示すデータ送信回路２内における、上記オーディオＤＳＰ５の後段に対しては、図示するように差動型データ送信回路６が備えられる。
この差動型データ送信回路６は、オーディオＤＳＰ５から出力される送信データとしてのＤＡＴＡ１〜ＤＡＴＡ３、及びＬＲクロックＬＲＣＫを入力し、これらのそれぞれについて、反転信号・非反転信号を生成する。そして、これにより生成された８系統の信号を伝送路上に出力する。つまり、これによってＤＡＴＡ１〜ＤＡＴＡ３及びＬＲクロックＬＲＣＫを、差動型により伝送するようにしているものである。
【００２８】
この差動型データ送信回路６の内部には、例えば図５に示すようにＤＡＴＡ１〜ＤＡＴＡ３、及びＬＲクロックＬＲＣＫのそれぞれの入力に対応した４つの差動型出力アンプ６ａ〜６ｄが備えられる。
そして、これら差動型出力アンプ６ａ〜６ｄが、入力信号の非反転出力と反転出力を行うことにより、図示するようにＤＡＴＡ１＋、ＤＡＴＡ１−、ＤＡＴＡ２＋、ＤＡＴＡ２−、ＤＡＴＡ３＋、ＤＡＴＡ３−、ＬＲＣＫ＋、ＬＲＣＫ−の８系統の信号が伝送路上に出力される。
このようにして、ＤＡＴＡ１〜ＤＡＴＡ３、及びＬＲクロックＬＲＣＫのそれぞれが、反転・非反転信号により伝送路上に出力されることによっては、これらの信号が互いのノイズ成分を打ち消し合うようにして伝送されるようになり、これによって伝送路上の不要輻射が抑制されるものとなる。
【００２９】
つまりこの場合、図２に示したプレイヤ１においては、最も低周波なＬＲクロックＬＲＣＫのみを送信するようにしたことで、伝送路における不要輻射を抑制することができると共に、このようにそれぞれの信号を差動型によって伝送することによって、さらなる不要輻射の抑制が図られるものである。
【００３０】
続いては、先に図１により示した、実施の形態のデータ送信装置としてのデジタルアンプ１０の内部構成例を次の図３に示す。
先ず、この図３において、データ受信回路１１には、先の差動型データ送信回路６により出力されたＤＡＴＡ１＋、ＤＡＴＡ１−、ＤＡＴＡ２＋、ＤＡＴＡ２−、ＤＡＴＡ３＋、ＤＡＴＡ３−、ＬＲＣＫ＋、ＬＲＣＫ−の８系統の信号が入力される。そして、このデータ受信回路１１は、ＤＡＴＡ１＋、ＤＡＴＡ１−、ＤＡＴＡ２＋、ＤＡＴＡ２−、ＤＡＴＡ３＋、ＤＡＴＡ３−の非反転・反転信号に基づいて、受信データとしてのＤＡＴＡ１、ＤＡＴＡ２、ＤＡＴＡ３を得る。さらにこの場合、上記ＬＲＣＫ＋、ＬＲＣＫ−に基づいてＬＲクロックＬＲＣＫを得た上で、これを逓倍・分周してＬＲクロックＬＲＣＫ、ビットクロックＢＣＫ、システムクロックＳＣＬＫを得るようにされる。
なお、このデータ受信回路１１の内部構成については後述する。
【００３１】
ΔΣ（デルタシグマ）変換・ＰＷＭ変調（Ｐｕｌｓｅ  Ｗｉｄｔｈ  Ｍｏｄｕｌａｔｉｏｎ：パルス幅変調）回路１２は、ＤＡＴＡ１〜ＤＡＴＡ３、ＬＲクロックＬＲＣＫ、ビットクロックＢＣＫ、システムクロックＳＣＬＫに基づいて、５．１ｃｈサラウンドに対応した６ｃｈ分のデータを得ると共に、これら６ｃｈ分のデータのそれぞれに対してΔΣ変換処理、ＰＷＭ変調処理を行う。
例えば、このΔΣ変換・ＰＷＭ変調回路１２では、上記のように得られた６ｃｈのデータのそれぞれについて、先ずはオーバーサンプリング処理や、１ビット量子化出力のネガティブフィードバックによるノイズシェービング処理等によるデルタシグマ変換処理を行うものとされる。そして、これによって、この場合はサンプリング周波数が例えば数ＭＨｚ帯とされた１ビット方式によるデジタルオーディオ信号を得る。
その上で、このようにして得られた１ビット方式のデジタルオーディオ信号に対してＰＷＭ変調処理を施すことにより、デジタルオーディオ信号の各ビットの値に応じたパルス幅を有するＰＷＭ信号を生成する。
【００３２】
増幅回路１３は、内部にスイッチング素子を備え、上記ΔΣ変換・ＰＷＭ変調回路１２から供給されるＰＷＭ信号に基づいて、図示されない電源回路部により生成された直流電源をスイッチングする。そして、これによって上記直流電源にＰＷＭ信号を重畳するようにして、オーディオ信号成分を増幅する。
【００３３】
増幅回路１３においてスイッチングされた信号は、ローパスフィルタ（ＬＰＦ）１４に供給され、ここにおいてスイッチングにより発生した高周波成分が除去され、オーディオ信号成分のみが抽出される。そして、このように抽出されたオーディオ信号成分は、図示するスピーカ１５に対して駆動信号として供給され、これによりスピーカ１５では、プレイヤ１において再生されたオーディオデータに応じた音声出力が得られるものとなる。
【００３４】
図４は、図３に示したデータ受信回路１１の内部構成例を示したブロック図である。
先ず、この図においても、プレイヤ１側から送信されるＤＡＴＡ１＋、ＤＡＴＡ１−、ＤＡＴＡ２＋、ＤＡＴＡ２−、ＤＡＴＡ３＋、ＤＡＴＡ３−、ＬＲＣＫ＋、ＬＲＣＫ−の８系統の信号が示されている。そして、このデータ受信装置１１においては、これらの信号を差動型データ受信回路２１により入力するようにされている。
この差動型データ受信回路２１としては、図６に示すように、ＤＡＴＡ１＋、ＤＡＴＡ１−を入力する差動型入力アンプ２１ａと、ＤＡＴＡ２＋、ＤＡＴＡ２−を入力する差動型入力アンプ２１ｂと、ＤＡＴＡ３＋、ＤＡＴＡ３−を入力する差動型入力アンプ２１ｃと、ＬＲＣＫ＋、ＬＲＣＫ−を入力する差動型入力アンプ２１ｄとが備えられる。
これら差動型入力アンプ２１は、それぞれの反転入力端子に対して反転信号が入力される。また、非反転入力端子には非反転入力信号が入力される。そして、それぞれの差動型入力アンプ２１では、出力端子から非反転信号が得られる。これによって、差動型データ受信回路２１では、図示するようにＤＡＴＡ１〜ＤＡＴＡ３、及びＬＲクロックＬＲＣＫが得られるものとなる。
【００３５】
ここで、上述もしたように図２に示したプレイヤ１においては、送信データの伝送時にＬＲクロックＬＲＣＫのみを送信するようにされているため、この場合は当然のことながら、デジタルアンプ１０側には例えば上記したΔΣ変換・ＰＷＭ変調回路１２における処理に必要なビットクロックＢＣＫ、システムクロックＳＣＬＫは供給されないものとなる。
そこで、本実施の形態では、このようにデジタルアンプ１０側の処理に必要なビットクロックＢＣＫ、システムクロックＳＣＬＫを、プレイヤ１側から供給されるＬＲクロックＬＲＣＫに基づいて生成するものとしている。
そして、このために本例では、このデータ受信回路１１に対して、図４に示するようなＰＬＬブロック２２とリップルカウンタ２３とを備えるようにしている。
【００３６】
上記ＰＬＬブロック２２は、先に説明した差動型データ受信回路２１により得られたＬＲクロックＬＲＣＫを入力し、これを逓倍することで、システムクロックＳＣＬＫに対応した２５６ｆｓの周波数によるクロックを生成する。
そして、このようにして生成された、システムクロックＳＣＬＫとしての２５６ｆｓによるクロックは、当該デジタルアンプ１０における動作クロックとしてこのデータ受信回路１１外部の各部に供給される。
また、この２５６ｆｓによるクロックは、後述するフリップフロップ２４〜２８の各クロック入力としても分岐して供給される。
さらにこのクロックは、上記したリップルカウンタ２３に対しても供給される。
【００３７】
リップルカウンタ（分周期）２３は、上記のように生成された２５６ｆｓによるシステムクロックＳＣＬＫを、所定の分周比により分周することによって、システムクロックＳＣＬＫと共に当該デジタルアンプ１０側での処理に必要となるビットクロックＢＣＫ、ＬＲクロックＬＲＣＫを生成する。
この場合、上記ビットクロックＢＣＫとしては、その周波数が１２８ｆｓであることから、リップルカウンタ２３は、入力される上記システムクロックＳＣＬＫを１／２に分周することによってこのビットクロックＢＣＫを得るようにされる。
また、周波数がｆｓとされるＬＲクロックＬＲＣＫについては、上記システムクロックＳＣＬＫを１／２５６に分周することにより得るようにされる。
【００３８】
リップルカウンタ２３により生成されたＬＲクロックＬＲＣＫは、フリップフロップ２７のＤ入力に供給される。
また、同じく生成されたビットクロックＢＣＫは、フリップフロップ２８のＤ入力に供給される。
【００３９】
フリップフロップ２４〜２８は、プレイヤ１側より受信されたＤＡＴＡ１〜ＤＡＴＡ３と、このデータ受信回路１１において生成されたＬＲクロックＬＲＣＫ、ビットクロックＢＣＫ、システムクロックＳＣＬＫの位相のずれを最小限に抑制するために備えられる。
これらフリップフロップ２４〜２８に対しては、上述もしたように、それぞれのクロック入力に対してＰＬＬブロック２２からのシステムクロックＳＣＬＫが供給される。
そして、フリップフロップ２４のＤ入力には、差動型データ受信回路２１において得られたＤＡＴＡ１が供給される。また、フリップフロップ２５のＤ入力にはＤＡＴＡ２が供給され、さらに、フリップフロップ２６のＤ入力にはＤＡＴＡ３が供給される。
また、さらに上記もしたように、フリップフロップ２７のＤ入力にはＬＲクロックＬＲＣＫが、また、フリップフロップ２８のＤ入力にはビットクロックＢＣＫがそれぞれ供給されている。
【００４０】
このようなフリップフロップ２４〜２８においては、Ｄ入力に供給される信号が、クロック入力に供給されるシステムクロックＳＣＬＫのタイミングでラッチされる。そしてこれによって、これらフリップフロップ２４〜２８のＤ入力に供給されるＤＡＴＡ１〜ＤＡＴＡ３、ＬＲクロックＬＲＣＫ、及びビットクロックＢＣＫと、システムクロックＳＣＬＫとの位相が合わせ込まれるようにされる。この結果、信号の伝送過程において、ＤＡＴＡ１〜ＤＡＴＡ３、ＬＲクロックＬＲＣＫに位相ずれが生じた場合にも、このＬＲクロックＬＲＣＫに基づいて生成されるシステムクロックＳＣＬＫ、ビットクロックＢＣＫ、ＬＲクロックＬＲＣＫと、ＤＡＴＡ１〜ＤＡＴＡ３との位相ずれを最小限に抑制することができるものである。
【００４１】
以上で説明したように本例のデータ伝送システム０においては、オーディオデータの伝送時にプレイヤ１側からデジタルアンプ１０に対して送信すべきとされるＬＲクロックＬＲＣＫ、ビットクロックＢＣＫ、システムクロックＳＣＬＫのうち、最も周波数の低いＬＲクロックＬＲＣＫのみを伝送するようにしたことから、伝送路において生じる不要輻射を最低限に抑制することができる。
そして、このように伝送路における不要輻射を抑制することができることにより、その分輻射対策が容易となってその対策部品を削除することができる。つまり、これによって輻射対策に要するコストの削減が図られる。
【００４２】
また、オーディオデータが受信されるデジタルアンプ１０においては、上記のようにプレイヤ１側から送信されるＬＲクロックＬＲＣＫを、逓倍・分周することによって、このデジタルアンプ１０側における各種処理に必要となるＬＲクロックＬＲＣＫ、ビットクロックＢＣＫ、システムクロックＳＣＬＫを得ることができる。
つまりこれにより、この場合のデジタルアンプ１０では、プレイヤ１側から送信されるクロックとしてＬＲクロックＬＲＣＫのみが送信されることで、正常に音声信号増幅処理を行ってスピーカ駆動信号を生成することができるものである。
【００４３】
また、このように本実施の形態では、デジタルアンプ１０における受信データの処理に複数のクロックを要する場合においても、プレイヤ１としてはＬＲクロックＬＲＣＫのみを送信すればよいことになるから、この点で、クロックを分周して送信することで不要輻射を抑制する構成とされた場合のように、クロックを分周・逓倍する構成を複数系統備える必要がなくなり、伝送系の構成が簡易で済むこととなる。
【００４４】
また、上述もしたように、本例のデータ転送システム０においては、プレイヤ１側に差動型データ送信回路６を備え、デジタルアンプ１０側に差動型データ受信回路２１を備えて、これらによりＤＡＴＡ１〜ＤＡＴＡ３、ＬＲクロックＬＲＣＫの非反転信号・反転信号を伝送するようにしている。そして、これによっても、これらそれぞれの信号のノイズ成分を打ち消すようにして、伝送路上の不要輻射をさらに低減することができるものである。
なお、この場合、ＤＡＴＡ１〜ＤＡＴＡ３に関しては、厳密に周波数が一定するものではないので輻射に対してピークが出ることはない。
従って、この場合、ＬＲクロックＬＲＣＫについてのみ上記のような差動型による伝送を行うようにしてもよい。
【００４５】
ところで、一般的にクロックは矩形波状であることから、そのエッジ部分に高周波ノイズが発生する。そこで、このようなノイズ成分を除去し、不要輻射の低減を図るとした場合には、伝送する信号のエッジ部分を鈍らせるということも考えられる。
これを実現するとした場合は、先ずプレイヤ１側において、差動型データ送信回路６の後段に対し例えばローパスフィルタや積分回路を設けて、波形のエッジ部分の高周波成分を除去した上でこれを伝送路に出力するように構成すればよい。
また、これに対応させるためにデジタルアンプ１０側としても、データ受信回路１１の前段に対し、入力信号に対する波形成形を行って元の波形を復元するための構成を備えるようにする。例えば、このような構成としては、入力信号を所要の閾値でスライスして元の矩形波状のクロックを復元する回路を備えるようにすればよい。
これによって、伝送信号の高周波ノイズを除去してさらなる不要輻射の低減を図ることができる。
【００４６】
ここで上記のように信号のエッジ部分を鈍らせることによっては、ノイズ成分が除去されて輻射に対して有利となるものであるが、これに伴っては、同時に信号レベルが低下してしまうこととなる。
そしてこのとき、例えば伝送する信号の周波数が高く、信号の波長が短くなるほど、信号レベル（振幅レベル）はより小さくなる。また、逆に信号周波数が低いほど信号レベルの低下が抑制され、その分、受信側における波形成形の際に有利となる。
従ってこのことを踏まえると、低い周波数のクロックのみを送信するようにした本例によっては、このように波形を鈍らせて送信することを考えた場合にも非常に有利なものとなる。
つまり、このような本例によれば、伝送信号の高周波成分を除去することでさらなる不要輻射の低減を図る構成がより容易に実現できるものである。
【００４７】
なお、本例においては、本発明における、データ送信装置がＤＶＤに対応した再生装置とされ、データ受信装置がデジタルアンプとされる場合を例に挙げたが、本発明としては、データ送信装置側からデータ受信装置側に対して、同期した複数のクロックを送信すべきとされる関係にある装置間の伝送に好適に適用できるものである。
【００４８】
また、本例のプレイヤ１では、最も低い周波数のクロックであるＬＲクロックＬＲＣＫを、そのままの周波数により送信するようにしたが、このＬＲクロックＬＲＣＫをさらに分周してこれを出力するようにしてもよい。なお、勿論この場合は、デジタルアンプ１０側において、このときのＬＲクロックＬＲＣＫの分周比に応じた逓倍比が設定される必要がある。
【００４９】
また、本例では、デジタルアンプ１０において、プレイヤ１から受信したＬＲクロックＬＲＣＫを、一度逓倍した後にこれを分周して新たなＬＲクロックＬＲＣＫを得るようにしたが、受信したＬＲクロックＬＲＣＫを直接的にフリップフロップ２７に入力する構成も当然考えられる。
【００５０】
【発明の効果】
以上のように本発明では、互いに同期関係にあって周波数が異なる複数のクロックを用いてデータの処理を行うデータ送信装置側と、受信データの処理に上記複数のクロックを用いるデータ受信装置側との間で、データとクロックを伝送する場合において、上記データ送信装置側からデータ受信装置側に対して、データと共に、上記複数のクロックのうちの１つのクロックのみを送信するようにしている。
その上で、上記データ受信装置側において、上記データと上記１つのクロックとを受信すると共に、上記１つのクロックから周波数の異なる他の１以上のクロックを生成するようにしたものである。
【００５１】
このような本発明によれば、データ送信装置側は、互いに同期関係にあって周波数の異なる複数のクロックを用いるデータ受信装置に対し、送信データと共に１つのクロックのみを送信すればよいことになる。そして、データ受信装置側においては、このクロックから周波数の異なる他のクロックを生成することで、必要なクロックを得ることができる。
そしてこのとき、例えばデータ送信装置側が上記複数のクロックのうちの周波数の最も低いクロックのみを送信するようにすれば、データ受信装置側との間の伝送路において生じる不要輻射を最低限に抑制することができる。
このように伝送路において生じる不要輻射を最低限に抑制することができれば、その分、輻射対策が容易となってその対策部品を削除することができ、輻射対策に要するコストを削減することができる。
【００５２】
またこの際、データ送信装置からデータ受信装置に対して送信されるデータを、例えば差動型により伝送するようにすれば、不要輻射のさらなる抑制が図られる。
【００５３】
また、上記のように本発明によれば、上記データ受信装置側において、受信データの処理に複数のクロックを要する場合でも、１つのクロックのみを送信すればよいことになるから、この点で、例えばクロックを分周して送信することで不要輻射を抑制する構成とされた場合よりも、伝送系の構成が簡易で済む。
【図面の簡単な説明】
【図１】本発明における実施の形態としてのデータ伝送システムの概要について示す図である。
【図２】実施の形態のデータ送信装置の内部構成例を示すブロック図である。
【図３】実施の形態のデータ受信装置の内部構成例を示すブロック図である。
【図４】実施の形態のデータ受信装置が備えるデータ受信回路の内部構成例を示すブロック図である。
【図５】実施の形態のデータ送信装置が備える差動型データ送信回路の内部構成例を示す図である。
【図６】実施の形態のデータ受信装置が備える差動型データ受信回路の内部構成例を示す図である。
【符号の説明】
０  データ伝送システム、１  プレイヤ、２  データ送信回路、３  ＤＶＤデコーダ、４  デジタルオーディオインターフェースレシーバ、５  オーディオＤＳＰ、６  差動型データ送信回路、６ａ〜６ｄ  差動型出力アンプ、１０  デジタルアンプ、１１  データ受信回路、１２  ΔΣ変換・ＰＷＭ変調回路、１３  増幅回路、１４  ＬＰＦ（ローパスフィルタ）、２１  差動型データ受信回路、２１ａ〜２１ｄ  差動型入力アンプ、２２  ＰＬＬブロック、２３  リップルカウンタ、２４〜２８  フリップフロップ、５０  ディスク
【図１】
2005012406.tif 000003
【図２】
2005012406.tif 000004
【図３】
2005012406.tif 000005
【図４】
2005012406.tif 000006
【図５】
2005012406.tif 000007
【図６】
2005012406.tif 000008